(57)【特許請求の範囲】
【請求項１】
混合容器とそのキャップ、中栓と塗布体を取着した塗布体取付キャップとを具えた染毛剤塗布容器であって、
中栓が、基板と、基板の外周縁に沿って立設された外筒と、基板の内周縁に沿って垂設され混合容器の口筒部内周に嵌着される内筒とからなり、
基板の外周縁または外筒に連通路が形成されており、
前記内筒の外周には、口筒部内周と締め代を形成する膨出部が形成され、
塗布体取付キャップに取着された中栓が、塗布体取付キャップの混合容器への取付時に、一定の締め代をもった締着力により、中栓は、塗布体取付キャップの支持から、混合容器の口筒部内筒に嵌着され、塗布体取付キャップを取外したときに混合容器に移行し、キャップの被蓋時に流体連通路を形成するようにしたことを特徴とする染毛剤塗布容器。
【請求項２】
混合容器が、スクイズタイプの容器であることを特徴とする請求項１記載の染毛剤塗布容器。
【請求項３】
混合容器が、デラミ容器であることを特徴とする請求項１または２記載の染毛剤塗布容器。
【発明の詳細な説明】
【０００１】
【発明の属する技術分野】
本発明は、染毛剤塗布容器、とくに混合容器に流体連通路を形成する移行中栓を具えた染毛剤塗布容器に関する。
【０００２】
【従来の技術】
二液の染毛剤を混合容器に入れて混合し、容器の口部に櫛を取着して毛髪に塗布することは従来より周知であり、塗布後には、櫛を取外して洗滌し、残った混合液を捨てるようにしている。
【０００３】
【発明が解決しようとする課題】
しかしながら、すぐに捨てられないときには、残った混合液を入れたまま混合容器に蓋をしておくが、混合液を捨て忘れてそのまま放置される場合がある。
そうした場合に、混合液からガスが発生し、内圧が上昇し、容器が変形したり、ときには破損するおそれさえあるという問題があった。
【０００４】
本発明は、上記の問題を解決することを課題とし、混合液から発生するガスを排出できるよう、混合容器に流体連通路を形成する移行中栓を具えた染毛剤塗布容器を提供することを目的とする。
【０００５】
【課題を解決するための手段】
本発明は、上記の課題を解決するため、染毛剤塗布容器として、混合容器とそのキャップ、中栓と塗布体を取着した塗布体取付キャップとを具えた染毛剤塗布容器であって、中栓が、基板と、基板の外周縁に沿って立設された外筒と、基板の内周縁に沿って垂設され混合容器の口筒部内周に嵌着される内筒とからなり、基板の外周縁または外筒に連通路が形成されており、前記内筒の外周には、口筒部内周と締め代を形成する膨出部が形成され、塗布体取付キャップに取着された中栓が、塗布体取付キャップの混合容器への取付時に、一定の締め代をもった締着力により、中栓は、塗布体取付キャップの支持から、混合容器の口筒部内筒に嵌着され、塗布体取付キャップを取外したときに混合容器に移行し、キャップの被蓋時に流体連通路を形成するようにしたことを特徴とする構成を採用する。
【０００６】
混合容器の具体的な実施例として、混合容器が、スクイズタイプの容器、或いは混合容器が、デラミ容器であることを特徴とする構成を採用する。
【０００７】
【発明の実施の形態】
次に、本発明の第１実施形態について図面を参照して説明する。
図１，２において、Ａはスクイズタイプの混合容器、Ｂは中栓、Ｃは櫛体を塗布体とする櫛取付キャップ、Ｄは櫛取付キャップに取着された櫛体、Ｅは容器のキャップである。
【０００８】
図２に示すように、混合容器Ａは、口筒部１、肩部２と胴部３、底部４とからなり、口筒部１外周には、上下方向に複数の切欠部５を設けたねじ６が螺設され、その下方にネックリング７が設けられている。
胴部３は、円形または楕円形の断面を有し、スクイズ可能とされている。
【０００９】
中栓Ｂは、図３に示すように、環状の基板８と該基板８の外周縁から立設された外筒９および内周縁より垂設された内筒１０とを具えている。
外筒９の底部には、複数の通孔１１が穿孔されており、その外周は、櫛取付キャップＣに嵌合されるようになっている。
内筒１０の外周は、口筒部１内周に強固に締着されるよう一定の締め代を形成する膨出部１２となっている。
【００１０】
また、中栓Ｂを、図４に示す実施例のようにしてもよい。
図４において、Ｂａは中栓であって、上記実施形態と同様に、基板８と外筒９および内筒１０とを具えており、外筒９の上端に、複数の溝１３が設けられている。
【００１１】
図５に示すように、櫛取付キャップＣは、嵌合筒２０と中央部に櫛支持筒２１を立設した上壁２２とを具えており、嵌合筒２０内周の上方部には、膨出環２３を下端縁に設けた中栓支持面２４が形成されており、下方部には、混合容器Ａのねじ６に螺合するねじ２５が螺設されている。
上記中栓Ｂは、中栓支持面２４に嵌挿し、基板８の下面を膨出環２３によって係合するようにしているが、膨出環２３に中栓Ｂの外筒９の外周壁を当接させることによって、櫛取付キャップＣに嵌合させてもよい。
【００１２】
櫛支持筒２１内周の所定位置には、膨出環２６が設けられている。
上壁２２には、所定個所に外気吸込孔２７が穿孔され、下面には、吸込弁２８が取り付けられている。
【００１３】
櫛体Ｄは、基体３０と、基体３０に取着された櫛歯体３１とからなり、基体３０の内部は、液流路３２となっている。
基体３０の下端部は取付筒部３３となっており、その下端には膨出環３４が設けられ、該膨出環３４が櫛支持筒２１の膨出環２６と係合して、櫛体Ｄの基板３０が櫛取付キャップＣの櫛支持筒２１に嵌着されるようになっている。
櫛歯体３１は、所定個所に吐出孔３５を設けた流路孔を有する多数の櫛歯３６によって形成されている。
【００１４】
図２に示すように、キャップＥは、頂壁３７と内周にねじを螺設した側周壁３８とからなり、パッキンＰを介して容器口筒部１に螺着されるようになっている。
【００１５】
次に、本櫛付塗布容器の使用態様と構成に基づく作用効果について説明する。
染毛剤としては、毛髪を所望の色に均一に染めるものや、毛髪を脱色するもの、毛髪を脱色した後に所望の色に染めるもの等、種々のタイプのものが使われている。
そして、染毛にあたっては、染毛剤の二液混合液が用いられるが、場合によって三液以上の混合液を用いることもある。
【００１６】
染毛に二液混合液を用いる場合、混合容器Ａには、内容液として、染毛剤の第１液が収納されており、キャップＥによりパッキンＰを介して被蓋されている。
前記第１液を収納した混合容器Ａは、第２液を収納し被蓋した容器と、中栓Ｂを取着した櫛体Ｄをセットして一体化した櫛取付キャップＣとともに市場に提供される。
【００１７】
使用にあたって、第２液を第１液を収納した混合容器Ａに入れ、キャップＥを取着して、混合容器Ａを振って二液を混合する。
次いで、キャップＥに取り替え、櫛取付キャップＣを取着する。
櫛取付キャップＣを取着したときには、中栓Ｂは、内筒１０の膨出部１２が口筒部１に一定の締め代をもって締着されて締着力が生じ、その締着力は櫛取付キャップＣの嵌合より強くなるので、中栓Ｂの取着は、櫛取付キャップＣによる支持から混合容器Ａの口筒部１の締着に移行する。
【００１８】
毛染にあたって、二液を混合し、櫛取付キャップＣを取着した混合容器Ａの胴部３を押圧すると、内圧の上昇により混合容器Ａ内の毛染液が、櫛体Ｄの基体３０内の液流路３２を通って各櫛歯３６に送られ、それぞれの吐出孔３５より吐出される。
次いで、押圧が解かれると、胴部３が復元し混合容器Ａ内が減圧され、減圧に応じて吸込弁２８が開かれ、大気吸入孔２７より混合容器Ａ内に大気が導入される。
混合容器Ａの減圧がなくなると、吸入弁２８は閉じられる。
【００１９】
次に、混合容器Ａの胴部３を再押圧すると、吸込弁２８が閉じられ内圧の上昇に応じて内容物が各櫛歯３６の吐出孔３５より吐出される。
かくして、混合容器Ａの胴部３の押圧に応じ、押圧量に応じた毛染液が吐出される。
【００２０】
毛染が終了したとき、櫛取付キャップＣを取外して洗滌し、混合液を捨てる。
櫛取付キャップＣを取外したときには、中栓Ｂは、櫛取付キャップＣから混合容器Ａに移行し、混合容器Ａの口筒部１に締着されたまま残される。
【００２１】
何らかの事情により直ぐに捨てられないときに、混合液を捨てる前にキャップＥを被蓋すると、図６に示すように、キャップＥは、中栓Ｂの上から被蓋することになり、中栓Ｂの通孔１１、ねじ６の上部空間、切欠部５を通じて、流体連通路が形成される。
混合液によりガスが発生しても、流体連通路を通じて外部に放散されるので、混合容器Ａの内圧上昇により、容器が変形したり、破損することはない。
また、混合液の残量が多い場合に、混合液の種類によって、混合液がガスとともに流体連通路を通じて排出されることもある。
【００２２】
次に、本発明の第２実施形態について、図面を参照して説明する。
本実施形態は、混合容器としてデラミ容器を用いたものである。
中栓、櫛体、キャップは、第１実施形態と同一であり、櫛取付キャップが上壁に外気吸込孔と吸込弁を具えていないという点で異なるだけであるので、相違する混合容器についてのみ説明し、その他の部品については同一の符号をもって図示し説明を省略する。
【００２３】
図７において、Ａａは染毛剤の第１液を収納し、使用時に第２液を混合する混合容器で、デラミ容器が用いられる。
Ｂは中栓、Ｃは櫛取付キャップ、Ｄは櫛体である。
【００２４】
デラミ容器の混合容器Ａａは、外側層４０と該外側層４０に剥離自在として積層された内側層４１とを有し、口筒部４２、肩部４３、胴部４４と底部よりなっている。
外側層４０は、押圧操作によって変形されるとともに押圧を解いた時に復元され、容器の外観形状を維持するものであり、内側層４１は、外側層４０から剥離自在かつ変形自在の内袋である。
【００２５】
前記口筒部４２外周には、上下方向に切欠部４５を設けたねじ４６が刻設されており、ねじ４６の下方には、外側層４０に弁挿入孔が穿孔され、吸込弁４７が取着されている。
【００２６】
胴部４４は、円形もしくは楕円形となっている。
底部は、底シール部に沿って外側層４０と同一の樹脂あるいはホットメルト接着剤等によってシール部が接着されている。
【００２７】
次に、本櫛付塗布容器の使用態様と作用効果について説明する。
前記実施形態と同様に、使用にあたっては、第２液を第１液を収納した混合容器Ａａに入れ、中栓Ｂと櫛体ＤがセットされたキャップＥを取着し、混合容器Ａａを振って、二液を混合する。
次いで、キャップＥに取り替え、櫛取付キャップＣを取着する。
【００２８】
毛染にあたって、二液を混合し、櫛取付キャップＣを取着した混合容器Ａａの胴部４４を押圧すると、内圧の上昇により混合容器Ａａ内の毛染液が、櫛体Ｄの基体３０内の液流路３２を通って各櫛歯３６に送られ、それぞれの吐出孔３５より吐出される。
【００２９】
次いで、押圧が解かれると、胴部４４が復元し混合容器Ａａ内が減圧され、減圧に応じて吸込弁４７が開かれ、外側層４０と内側層４１との間に大気が導入され、内側層４１が剥離され剥離層が形成される。
外側層４０が完全に復元し、剥離層内の内圧が外気と等しくなると、吸込弁４７も閉じられる。
【００３０】
次に、混合容器Ａａの胴部４４を再押圧すると混合容器Ａａ内の内圧が高くなるが、その際剥離層内の空気は吸込弁４７が閉じられているので排出されることはなく、内圧の上昇に応じて内容物が各櫛歯３６の吐出孔３５より吐出される。
かくして、混合容器Ａａの胴部４４の押圧に応じ、押圧量に応じた毛染液が吐出される。
【００３１】
毛染が終了したときには、櫛取付キャップＣを取外して洗滌し、混合液を捨てる。
混合液をすぐに捨てられない場合には、キャップＥを被蓋しておくと、前記実施形態と同様の作用効果を得ることができる。
【００３２】
前記各実施形態では、塗布体として櫛を用いたが、櫛に代え、ブラシ、または塗布ノズルを取り付けた塗布体取付キャップを用いることもできる。
【００３３】
【発明の効果】
通孔を穿設し、櫛取付キャップに取着された中栓が、櫛取付キャップの混合容器への取付時に、混合容器の口筒部内周に締着され、櫛取付キャップを取外したときに、混合容器に移行して流体連通路が形成されるるようにしたから、混合容器にキャップを被蓋し、放置しておいても、発生したガスが流体連通路を通じて外部に放散されるので、容器が変形したり、破損することがなくなった。
【図面の簡単な説明】
【図１】本発明の塗布容器の一部断面正面図である。
【図２】混合容器とキャップを説明する一部断面正面図である。
【図３】中栓の説明図で、（ａ）は一部断面正面図、（ｂ）は底面図である。
【図４】中栓の別実施例の説明図である。
【図５】櫛体を取着した櫛取付キャップの一部断面正面図である。
【図６】  櫛取付キャップを取外し、キャップを被蓋したときの説明図である。
【図７】  別実施形態の一部断面正面図である。
【符号の説明】
Ａ、Ａａ      混合容器
Ｂ、Ｂａ      中栓
Ｃ            櫛取付キャップ
Ｄ            櫛体
Ｅ            キャップ
Ｐ            パッキン
１、４２      口筒部
２、４３      肩部
３、４４      胴部
４            底部
５、４５      切欠部
６、４６      ねじ
８、          基板
９            外筒
１０          内筒
１１          通孔
１２          膨出部
２０          嵌合筒
２１          櫛支持筒
２２          上壁
２３          膨出環
２４          中栓支持面
２７          外気吸込孔
２８、４７    吸込弁
３０          基体
３１          櫛歯体
３２          液流路
３５          吐出孔
３６          櫛歯
４０          外側層
４１          内側層
【図１】
0004245879.tif 000002
【図２】
0004245879.tif 000003
【図３】
0004245879.tif 000004
【図４】
0004245879.tif 000005
【図５】
0004245879.tif 000006
【図６】
0004245879.tif 000007
【図７】
0004245879.tif 000008